(57)【要約】【課題】施設の利用情報を検索する施設利用情報提供サーバを提供する。【解決手段】端末位置判断部１１４は、位置情報端末２００と近接する施設を関連性がある施設であるとして選択する。端末位置判断部１１４は、位置情報端末２００が存在する位置が含まれる地図画像情報７０３を選択して情報送受信部１１３に送信する。施設利用判断部１１５は、位置情報端末２００と近接する施設の利用性を判断する。施設の利用性とは、トイレ施設の例では、距離、便座数、駐車場の有無、紙の有無、キレイ度、混雑度、時間帯を基に利用可能性をランク分けした情報である。施設利用情報作成部１１６は、位置情報端末２００に適したランク分けした情報に基づいて施設利用情報５０４を作成する。位置情報端末２００が、地図画像情報７０３にランク分けしたトイレ施設の情報を表示する。【選択図】図１
2010237904.tif 000002
【特許請求の範囲】
【請求項１】
サービスを提供する施設の施設位置を含む施設情報を記録装置に記憶する施設情報記憶部と、
位置情報端末から端末位置情報を通信装置により受信する情報受信部と、
情報受信部が入力した端末位置情報に基づいて端末位置を処理装置により判断し、施設位置が端末位置の近傍にある施設の施設情報を施設情報記憶部から処理装置により検索する端末位置判断部と、
端末位置判断部が検索した施設情報から施設の利用性を処理装置により計算してランク付けする施設利用判断部と、
施設利用判断部のランク付けに基づいて施設の施設利用情報を処理装置により作成する施設利用情報作成部と、
施設利用情報作成部が作成した施設利用情報を位置情報端末に通信装置により送信する情報送信部と
を備えたことを特徴とする施設利用情報提供サーバ。
【請求項２】
上記情報送信部は、施設利用情報とともに、施設利用情報を表示する地図情報を送信することを特徴とする請求項１記載の施設利用情報提供サーバ。
【請求項３】
上記施設情報記憶部は、施設の複数の属性を施設情報として記録装置に記憶し、
上記施設利用判断部は、施設情報記憶部が記憶した施設の複数の属性に対して重み付けをして施設の利用性を計算することを特徴とする請求項１又は２記載の施設利用情報提供サーバ。
【請求項４】
上記情報受信部は、位置情報端末から緊急度を受信し、
上記施設利用判断部は、緊急度に応じて、施設の利用性を計算する重み付けを変更することを特徴とする請求項３に記載の施設利用情報提供サーバ。
【請求項５】
サービスを提供する施設の施設位置を含む施設情報を記録装置に記憶する施設情報記憶部を備えた施設利用情報提供サーバの施設利用情報提供方法において、
位置情報端末から端末位置情報を通信装置により受信する情報受信ステップと、
情報受信ステップで入力した端末位置情報に基づいて端末位置を処理装置により判断し、施設位置が端末位置の近傍にある施設の施設情報を施設情報記憶部から処理装置により検索する端末位置判断ステップと、
端末位置判断ステップで検索した施設情報から施設の利用性を処理装置により計算してランク付けする施設利用判断ステップと、
施設利用判断ステップでのランク付けに基づいて施設の施設利用情報を処理装置により作成する施設利用情報作成ステップと、
施設利用情報作成ステップで作成した施設利用情報を位置情報端末に通信装置により送信する情報送信ステップと
を備えたことを特徴とする施設利用情報提供方法。
【請求項６】
コンピュータを、上記請求項１から４いずれかに記載の施設利用情報提供サーバの各部として機能させることを特徴とするプログラム。
【発明の詳細な説明】
【技術分野】
【０００１】
本発明は、位置情報を元に各種の施設利用情報を提供する施設利用情報提供サーバ及び施設利用情報提供方法及びプログラムに関する。
【背景技術】
【０００２】
カーナビゲーションや携帯電話に代表されるように、移動体通信ナビゲーションシステムによる地図検索のシステムは普及を見せているが、これらの既存の地図検索システムでは施設等の物件に関する情報は位置情報のみであり、例えば、トイレ検索のように緊急を要する物件の検索には情報が古かったり、提供される情報と異なってトイレが使用中であったり、時間外であったりと、状況に応じた情報の提供が難しい場合が多く見られる。さらに、特許文献１、２には、トイレの利用状況を提供する技術についての記載がある。
【先行技術文献】
【特許文献】
【０００３】
【特許文献１】特開２００４−３２６４１４号公報
【特許文献２】特開２００７−２９３４２０号公報
【特許文献３】特開２００２−１０７１５０号公報
【特許文献４】特開２００３−２３３７４０号公報
【特許文献５】特開２００８−２６１７０４号公報
【特許文献６】特表２００９−５０３９２２号公報
【発明の概要】
【発明が解決しようとする課題】
【０００４】
本発明は、かかる施設利用の不便さを解消するために、利用者の状況に適した施設利用情報を提供することを目的とする。
【課題を解決するための手段】
【０００５】
この発明に係る施設利用情報提供サーバは、
サービスを提供する施設の施設位置を含む施設情報を記録装置に記憶する施設情報記憶部と、
位置情報端末から端末位置情報を通信装置により受信する情報受信部と、
情報受信部が入力した端末位置情報に基づいて端末位置を処理装置により判断し、施設位置が端末位置の近傍にある施設の施設情報を施設情報記憶部から処理装置により検索する端末位置判断部と、
端末位置判断部が検索した施設情報から施設の利用性を処理装置により計算してランク付けする施設利用判断部と、
施設利用判断部のランク付けに基づいて施設の施設利用情報を処理装置により作成する施設利用情報作成部と、
施設利用情報作成部が作成した施設利用情報を位置情報端末に通信装置により送信する情報送信部と
を備えたことを特徴とする。
【０００６】
上記情報送信部は、施設利用情報とともに、施設利用情報を表示する地図情報を送信することを特徴とする。
【０００７】
上記施設情報記憶部は、施設の複数の属性を施設情報として記録装置に記憶し、
上記施設利用判断部は、施設情報記憶部が記憶した施設の複数の属性に対して重み付けをして施設の利用性を計算することを特徴とする。
【０００８】
上記情報受信部は、位置情報端末から緊急度を受信し、
上記施設利用判断部は、緊急度に応じて、施設の利用性を計算する重み付けを変更することを特徴とする。
【０００９】
この発明に係る施設利用情報提供方法は、サービスを提供する施設の施設位置を含む施設情報を記録装置に記憶する施設情報記憶部を備えた施設利用情報提供サーバの施設利用情報提供方法において、
位置情報端末から端末位置情報を通信装置により受信する情報受信ステップと、
情報受信ステップで入力した端末位置情報に基づいて端末位置を処理装置により判断し、施設位置が端末位置の近傍にある施設の施設情報を施設情報記憶部から処理装置により検索する端末位置判断ステップと、
端末位置判断ステップで検索した施設情報から施設の利用性を処理装置により計算してランク付けする施設利用判断ステップと、
施設利用判断ステップでのランク付けに基づいて施設の施設利用情報を処理装置により作成する施設利用情報作成ステップと、
施設利用情報作成ステップで作成した施設利用情報を位置情報端末に通信装置により送信する情報送信ステップと
を備えたことを特徴とする。
【００１０】
この発明に係るプログラムは、コンピュータを、施設利用情報提供サーバの各部として機能させることを特徴とする。
【発明の効果】
【００１１】
本発明は、施設利用情報を提供することで、利用者に近接して利用性の高い施設に関する情報を利用者に提供することができる。
【図面の簡単な説明】
【００１２】
【図１】実施の形態にかかる施設利用情報提供システムの機能ブロック図である。
【図２】実施の形態にかかる施設利用情報提供サーバの処理の動作を表すフローチャートである。
【図３】実施の形態にかかる施設利用情報提供システムでの施設のランク付けの例である。
【図４】実施の形態にかかる施設利用情報提供システムでの位置情報端末で地図画像に重畳表示する、施設のナビゲーション表示例である。
【図５】実施の形態にかかる施設利用情報提供システムでの位置情報端末で表示する各施設個別の施設利用情報の表示例である。
【図６】実施の形態にかかる施設情報ファイルの例である。
【図７】実施の形態にかかる位置情報端末からの検索要求の例である。
【図８】実施の形態にかかる施設利用判断部の処理の動作を表すフローチャートである。
【図９】実施の形態にかかる施設利用情報提供システムのハードウェア構成の例である。
【図１０】実施の形態にかかる施設利用情報提供サーバのハードウェア構成の例である。
【発明を実施するための形態】
【００１３】
以下、本発明を図面に示す実施の形態に基づいて説明する。
【００１４】
実施の形態１．
図１は、実施の形態にかかる位置情報端末の機能ブロック図である。当実施の形態では、施設としてトイレ施設を例に実施例を説明する。
【００１５】
施設利用情報提供サーバ１００は、地図情報記憶部１１１、施設情報記憶部１１２、情報送受信部１１３、端末位置判断部１１４、施設利用判断部１１５、施設利用情報作成部１１６を備える。
【００１６】
地図情報記憶部１１１は、地図情報（地図画像データ、数値データ等）及び地図に含まれる情報を記憶している。例えば、地名や道路名などの文字データや駅前や建物などの地図や市町村のマークなどの画像データ、道路情報（道路の地図データ、道路画像データ等）などである。
地図情報記憶部１１１は、地図ファイル７０１と建物レイアウトファイル７０２とを記憶している。地図ファイル７０１は、道路や建物の地図情報や地図画像情報を記憶している。建物レイアウトファイル７０２は、個々の建物内の廊下・部屋などの地図情報や地図画像情報を各階ごとに記憶している。
地図情報記憶部１１１は、施設利用情報提供サーバ１００になくてもよく、地図情報記憶部１１１は、ネットワーク３００を経由して、図示していない地図情報提供システムから地図情報を検索して取得してもよい。
【００１７】
施設情報記憶部１１２は、施設情報ファイル６０１を記憶している。施設情報は複数の属性からなり、トイレ施設の例にあっては、便座数、駐車場の有無、紙の有無、キレイ度、混雑度、利用者による投稿コメント等の属性に関する情報である。
【００１８】
図６に、施設情報ファイル６０１のフォーマットを示す。
以下に、施設情報ファイル６０１に記憶される施設の各属性について説明する。
トイレＩＤ：トイレの識別子。トイレの番号や名前でもよい。
トイレ位置：緯度と経度（北緯Ｎと東経Ｅ）。さらに高度があるとなおよい。（Ｘ、Ｙ、Ｚ）座標でもよい。トイレ位置はトイレの入り口の位置であり、建物内でもトイレの入り口まで識別可能な精度を有している。
設置建物ＩＤ：トイレが設置された建物の識別子。ＡＡＡホテルやＢＢＢスーパやＣＣＣ公園などの建物や区域の名前でもよい。
設置階：トイレが設置された建物の階数。
便座数：男女別・男女共用・和式洋式に分けた台数。
利用可能時間帯：トイレが設置された建物の開館閉館時間。
混雑度：混み具合。混む時間帯でもよい。混む（０．０）から空いている（１．０）まで０．１刻みの値。
キレイ度：きれいか汚いか。汚い（０．０）からきれい（１．０）まで０．１刻みの値。
紙：有（１）または無（０）。
洗浄便座：有（１）または無（０）。
駐車場：有（１）または無（０）。
利用者コメント：利用者の投稿文。
リニューアル時期：前回のトイレの改装時期。
清掃回数・清掃時刻：１日の清掃回数と、その清掃時刻と時間。
個室の広さ：個室の床面積。あるいは、ゆったりしているか否か。
個室内荷物置場：バッグや荷物を置く棚の有（１）または無（０）。
使用料金・使用条件：トイレの使用料の有無・チップの有無。商店のトイレ使用に当たり商品購入の義務の有無。
アクセス制限：トイレが駅構内にある場合の改札。トイレが公園内にある場合の公園入場料。トイレが催し物会場内にある場合の会場入場料。
【００１９】
端末位置判断部１１４は、位置情報端末２００と近接する施設の関連性を判断する。端末位置判断部１１４は、位置情報端末２００と近接する施設を関連性がある施設であるとして選択する。端末位置判断部１１４は、位置情報端末２００が存在する位置が含まれる地図画像情報７０３を選択して情報送受信部１１３に送信する。
【００２０】
施設利用判断部１１５は、位置情報端末２００と近接する施設の利用性を判断する。施設の利用性とは、トイレ施設の例では、距離、便座数、駐車場の有無、紙の有無、キレイ度、混雑度、時間帯等を基に計算した値である。利用性は施設をランク分けする情報である。
【００２１】
施設利用情報作成部１１６は、位置情報端末２００に適した施設をランク分けした情報に基づいて施設利用情報５０４を作成する。
【００２２】
位置情報端末２００は、端末位置情報処理部２１１、地図画像・施設利用情報表示処理部２１２、表示部２１３、施設利用情報受信部２１５、地図情報受信部２１４を備える。
【００２３】
端末位置情報処理部２１１は、位置情報端末の位置を取得する。端末位置情報処理部２１１は、例えば、測位衛星（ＧＰＳ（Ｇｌｏｂａｌ・Ｐｏｓｉｔｉｏｎｉｎｇ・Ｓｙｓｔｅｍ）４００などから、位置情報端末２００の位置情報を取得する。
【００２４】
地図情報受信部２１４は、施設利用情報提供サーバ１００から送信される地図画像情報７０３を受信する。
【００２５】
施設利用情報受信部２１５は、施設利用情報提供サーバ１００から送信される施設利用情報５０４を受信する。
【００２６】
地図画像・施設利用情報表示処理部２１２は、施設利用情報５０４と関連する地図画像情報７０３を重畳表示する情報にまとめる処理を行う。
【００２７】
表示部２１３は、地図画像・施設利用情報表示処理部２１２が作成した施設利用情報と地図情報を重畳表示する。
【００２８】
図２は、実施の形態にかかる施設利用情報提供サーバ１００の処理の動作を表すフローチャートである。
図２に基づいて、施設利用情報提供サーバ１００の処理の動作を説明する。
位置情報端末２００の端末位置情報処理部２１１は、位置情報端末２００の位置情報を取得し、図７に示すような、検索要求５０１を作成する。
【００２９】
以下に、検索要求５０１について説明する。
位置情報端末アドレス：位置情報端末のネットワークアドレス（インターネットプロトコルアドレス）や電子メールアドレス。あるいは、電話番号。
現在位置情報：位置情報端末２００の現在位置の緯度と経度（北緯Ｎと東経Ｅ）。さらに高度があるとなおよい。（Ｘ、Ｙ、Ｚ）座標でもよい。
緊急度：大・中・小の緊急度を指定する。
大は、即座にトイレを利用する場合である。
中は、近くにあるトイレを探したい場合である。
小は、あらかじめ近くのトイレを知っておきたい場合である。
緊急度の指定はなくてもよい。
好みフィルタ情報：トイレを好みに応じて選択したい場合に指定する。たとえば、好み１は洗浄便座有、好み２は個室内荷物置場有、好み３は、キレイ度を指定する。好みは、予め位置情報端末２００に記憶させておいてもよいし、検索要求５０１の作成時にユーザが指定してもよい。好みフィルタ情報はなくてもよい。
性別：男又は女。性別はなくてもよい。
【００３０】
＊＊＊道路上の場合
以下、道路上でユーザが位置情報端末２００から検索要求５０１を送信した場合について説明する。
【００３１】
位置情報端末２００の端末位置情報処理部２１１は、検索要求５０１を作成して、ネットワーク３００を介して、施設利用情報提供サーバ１００に送信する。
【００３２】
ステップＳ１０１（端末位置情報受信ステップ）において、情報送受信部１１３の情報受信部は、位置情報端末２００から検索要求５０１を受信する。検索要求５０１には、現在位置情報が必ず含まれている。
【００３３】
ステップＳ１０２（端末位置判断ステップ）において、端末位置判断部１１４は、位置情報端末２００の地図上での現在位置を判断する。端末位置判断部１１４は、位置情報端末２００が存在する位置が道路などの屋外であれば、位置情報端末２００が存在する位置が含まれる地図画像情報７０３を地図ファイル７０１から選択して情報送受信部１１３に送信する。端末位置判断部１１４は、位置情報端末２００が存在する位置が建物内などの屋内であれば、後述するように、位置情報端末２００が存在する位置が含まれる地図画像情報７０３を建物レイアウトファイル７０２から選択して情報送受信部１１３に送信する。
さらに、端末位置判断部１１４は、位置情報端末２００の地図上で近傍にあるトイレを施設情報記憶部１１２から検索する。たとえば、端末位置判断部１１４は、現在位置情報と施設情報ファイル６０１のトイレ位置とから、位置情報端末２００から半径１００メートル以内に設置されているトイレを一つ以上検索して、検索要求５０１と検索した一つ以上のトイレＩＤ５０２を出力する。半径１００メートル以内に設置されているトイレが検索できない場合には、端末位置判断部１１４は、検索範囲を半径２００メートルに増加して検索する。
なお、緊急時に対応するためには、現在位置からの半径ではなく、現在位置からトイレ位置までのルートの距離が１００メートル以内にあるトイレを検索するほうが望ましい。
また、端末位置判断部１１４は、位置情報端末２００の端末位置情報を要求する位置情報要求５９９を作成して、位置情報端末２００に送信してもよい。位置情報端末２００は、位置情報要求５９９を受け取るたびに検索要求５０１を送信する。端末位置判断部１１４は、位置情報端末２００から時間的にずれた複数の検索要求５０１に含まれた複数の端末位置情報を受信して解析することにより、位置情報端末２００の移動状態を検出する。この移動状態から、たとえば、位置情報端末２００が線路上を電車で移動中であることが分かる。端末位置判断部１１４は、位置情報端末２００の移動状態からユーザが電車内あるいはバス内にいると判断した場合には、現在位置ではなく、次の駅や次のバス停の近傍にあるトイレを施設情報記憶部１１２から検索する。端末位置判断部１１４は、次の駅や次のバス停とその到着時刻を、ネットワーク３００を介して、電車会社の列車ダイヤやバス会社のバス運行スケジュールから検索することができる。
【００３４】
ステップＳ１０３（施設利用判断ステップ）において、施設利用判断部１１５は、検索要求５０１と検索した一つ以上のトイレＩＤ５０２を入力し、位置情報端末２００に近接する施設の利用性を判断する。
施設の利用性は、施設情報ファイル６０１の施設の属性を元にランク付けする。
トイレ施設の例であれば、トイレまでの距離、便座数、駐車場の有無、紙の有無、キレイ度、混雑度、時間帯等の属性を元に、トイレ利用データ別に施設の利用性を計算したり、また、各データを数値化して合計値でトイレ施設毎に施設の利用性を計算してランク付けする。
たとえば、施設利用判断部１１５は、以下の計算式で施設の利用性を計算する。
【００３５】
利用性＝（１００メートル／トイレまでの距離）
＋（便座数／３）
＋（駐車場の有なら１、無なら０）
＋（紙有なら１、無なら０）
＋（キレイ度０．０から１．０）
＋（混雑度０．０から１．０）
【００３６】
施設利用判断部１１５は、施設の利用性を用いて、以下のようにランクを求める。施設利用判断部１１５は、トイレが利用時間帯以外の場合には、最低ランクにランク付けするか、あるいは、ランク付けしない。
ランク５＝利用性の値が５以上
ランク４＝利用性の値が４以上５未満
ランク３＝利用性の値が３以上４未満
ランク２＝利用性の値が２以上３未満
ランク１＝利用性の値が１以上２未満
ランク０（ランク付けなし）＝利用時間帯以外のトイレ・清掃中のトイレ
図３は施設のランク付けの例である。
施設利用判断部１１５は、トイレＩＤ５０２とランク５０３とを出力する。
【００３７】
ステップＳ１０４（施設利用情報作成ステップ）において、施設利用情報作成部１１６は、施設利用判断部１１５からトイレＩＤ５０２とランク５０３を入力し、トイレＩＤ５０２とランク５０３とに基づいて、ランク付けした施設の施設利用情報５０４を作成する。施設利用情報５０４は表示イメージと表示位置と施設の属性とを含んでいる。
図３の表示シンボルは、施設利用情報５０４の表示イメージの例である。
ランク５＝表示シンボル赤のトイレマーク
ランク４＝表示シンボル紫のトイレマーク
ランク３＝表示シンボル青のトイレマーク
ランク２＝表示シンボル水色のトイレマーク
ランク１＝表示シンボル灰色のトイレマーク
施設利用情報作成部１１６は、表示イメージに対応して、表示イメージを表示する表示位置をトイレ位置から求め、施設利用情報５０４を表示する地図上において表示イメージを位置情報端末２００の現在位置と関連付けする。
施設利用情報作成部１１６は、施設利用情報５０４に、トイレまでの距離、便座数、駐車場の有無、紙の有無、キレイ度、混雑度、時間帯、利用者コメント等のトイレの属性をテキスト情報として含める。
施設利用情報作成部１１６は、施設利用情報５０４を情報送受信部１１３に出力する。
【００３８】
ステップＳ１０５（地図画像・施設利用情報送信ステップ）において、情報送受信部１１３の情報送信部は、施設利用情報作成部１１６で作成した施設利用情報５０４と、地図情報記憶部１１１に登録してある地図画像情報７０３とを位置情報端末２００へ送信する。
【００３９】
位置情報端末２００において、地図情報受信部２１４は、施設利用情報提供サーバ１００から送信される地図画像情報７０３と施設利用情報５０４を受信する。地図画像・施設利用情報表示処理部２１２は、施設利用情報５０４と関連する地図画像情報７０３を重畳表示する情報にまとめ、表示部２１３は、地図画像・施設利用情報表示処理部２１２が作成した施設利用情報と地図情報を重畳表示する。
【００４０】
図４は、道路上においてユーザが位置情報端末２００から検索要求５０１を送信した場合のナビゲーション表示例である。図４は、地図画像情報７０３により表示された地図画像に重畳表示された施設の表示イメージの例である。
【００４１】
位置情報端末２００においてユーザが、図４の表示イメージをクリックした場合に、地図画像・施設利用情報表示処理部２１２は、施設利用情報５０４に含まれた各施設個別の施設利用情報の属性を表示する。
図５は、位置情報端末２００においてユーザが、表示イメージをクリックした場合に、各施設個別の施設利用情報のテキスト表示例である。
【００４２】
＊＊＊建物内の場合
建物内でユーザが位置情報端末２００から検索要求５０１を送信した場合について、前述した道路上の場合と異なる点について説明する。
建物内の場合は、ユーザがいる階数により提供する施設情報が異なるので、検索要求５０１の現在位置情報の高さ情報によりユーザがいる階数を判断してユーザがいる階数の施設情報を提供しなければならない。
【００４３】
ステップＳ１０２（端末位置判断ステップ）において、端末位置判断部１１４は、位置情報端末２００から受信した検索要求５０１の現在位置情報の高度を参照してユーザがいる階数を判断する。階数が明確に判断できない場合は、複数階の階数をユーザがいる階数であると判断する。端末位置判断部１１４は、施設情報ファイル６０１のトイレ位置と設置階とを参照して、ユーザがいる階数に利用できるトイレが有るか否かを判断する。なければ、ユーザがいる階数の上下の階数にトイレが有るか否かを判断する。
また、階数により男女別々にトイレが設置されている場合があるので、端末位置判断部１１４は、位置情報端末２００から受信した検索要求５０１に含まれる性別を判断し、施設情報ファイル６０１の男女の便座数を参照して、ユーザが利用できるトイレが有るか否かを判断する。
端末位置判断部１１４は、トイレが存在する階数の地図画像情報７０３を建物レイアウトファイル７０２から選択して階数を明示して情報送受信部１１３に送信する。
【００４４】
地図画像・施設利用情報表示処理部２１２は、階数を明示して施設利用情報５０４と関連する地図画像情報７０３を重畳表示する情報にまとめ、表示部２１３は、階数を明示して施設利用情報と地図情報を重畳表示する。
【００４５】
＊＊＊アクセス制限がある場合
施設に対してアクセス制限がある場合について異なる点について説明する。
【００４６】
ステップＳ１０２（端末位置判断ステップ）において、端末位置判断部１１４が、位置情報端末２００から半径１００メートル以内に設置されているトイレを検索しても、そのトイレが、改札を通過しなければならない場合や、会場の入場退場門を通過しなければならない場合には、そのトイレ情報を提供することを控えたほうがよい。端末位置判断部１１４は、施設情報ファイル６０１のアクセス制限を参照して、ユーザがアクセス制限の区域内に居るか、又は、区域外に居るかを判断して、アクセス制限の区域内に居る場合には、アクセス制限の区域内のトイレを選択する。アクセス制限の区域外に居る場合には、アクセス制限の区域外のトイレを選択する。たとえば、駅の改札外に居る場合には、駅の改札内のトイレを選択しない。
或いは、駅の改札内のトイレをアクセス制限があるトイレであることが表示して、ユーザに選択させても良い。端末位置判断部１１４は、トイレＩＤ５０２を出力する場合に、アクセス制限があるトイレである情報を付加して出力する。
ステップＳ１０４（施設利用情報作成ステップ）において、施設利用情報作成部１１６は、アクセス制限があるトイレである情報がトイレＩＤ５０２に付加されている場合には、アクセス制限があることが分かる特殊な表示イメージと、「改札有り」などの原因表示テキストを作成する。
【００４７】
＊＊＊緊急度
ユーザが位置情報端末２００から検索要求５０１の中に緊急度を送信した場合について異なる点について説明する。緊急度として大中小がある場合について説明する。
大は、即座にトイレを利用したい場合である。
中は、近くにあるトイレを探したい場合である。
小は、あらかじめ近くのトイレを知っておきたい場合である。
【００４８】
図８は、緊急度として大中小がある場合の施設利用判断部１１５のステップＳ１０３（施設利用判断ステップ）を示す処理フローチャートである。
ステップＳ２０１において、施設利用判断部１１５は、検索要求５０１と検索した一つ以上のトイレＩＤ５０２を入力する。
ステップＳ２０２において、施設利用判断部１１５は、検索要求５０１に含まれた緊急度を判断する。
ステップＳ２０３、２０４、２０５において、施設利用判断部１１５は、緊急度に応じて重み付けを変更する。
たとえば、施設利用判断部１１５は、以下の重み付けをする。
緊急度大＝トイレまでの距離の重みＷ１を３とし、便座数の重みＷ２を２にして他の重みＷ３〜Ｗ９を０にする。
緊急度中＝すべての重みＷ１〜Ｗ９を１にする。
緊急度小＝検索要求５０１に含まれた好みの重みＷ７，Ｗ８，Ｗ９を１にして、他の重みＷ１〜Ｗ６を０にする。以下の計算式で施設の利用性を計算する。
【００４９】
利用性＝Ｗ１×（１００メートル／トイレまでの距離）
＋Ｗ２×（便座数／３）
＋Ｗ３×（駐車場の有なら１、無なら０）
＋Ｗ４×（紙有なら１、無なら０）
＋Ｗ５×（キレイ度０．０から１．０）
＋Ｗ６×（混雑度０．０から１．０）
＋Ｗ７×（好み１の属性の値：有なら１、無なら０、又は、０．０から１．０）
＋Ｗ８×（好み１の属性の値：有なら１、無なら０、又は、０．０から１．０）
＋Ｗ９×（好み１の属性の値：有なら１、無なら０、又は、０．０から１．０）
【００５０】
＊＊＊トイレに近接する場合の処理
トイレが非常に近い場合、トイレまでの距離が０となる場合がある。或いは、ユーザが利用時間帯以外の使用不可のトイレの前で別なトイレ検索をする時、施設情報記憶部１１２の施設情報ファイル６０１の情報が古く目の前のトイレを利用時間帯内のトイレであるとして検索してしまう場合、トイレまでの距離が０となる場合がある。
このような場合、トイレまでの距離が０となり、「１００メートル／トイレまでの距離」の計算で分母が０の割算を生起してしまう。
その場合、施設利用判断部１１５は、以下の処理をする。
（１）トイレまでの距離が一定値以下は全てトイレまでの距離を一定とする処理。
たとえば、施設利用判断部１１５は、トイレまでの距離が５メートル以内ならば、トイレまでの距離＝５ｍとする処理をする。
（２）トイレまでの距離が一定値以下のトイレを検索対象からはずす処理。
たとえば、５メートル以内程度の視覚内にあるトイレを検索対象からはずしても、目視できるのであるから、不都合は生じない。
【００５１】
ステップＳ２０６において、施設利用判断部１１５は、施設の利用性を用いて、ランク５０３を判断する。
ステップＳ２０７において、施設利用判断部１１５は、トイレＩＤ５０２とランク５０３とを出力する。
【００５２】
以上のように、緊急度を用いることにより、ユーザの状況に応じた施設情報を提供することができる。
【００５３】
図９は、実施の形態における施設利用情報提供サーバ１００と位置情報端末２００の外観の一例を示す図である。
図９において、施設利用情報提供サーバ１００は、システムユニット９１０、ＣＲＴ（Ｃａｔｈｏｄｅ・Ｒａｙ・Ｔｕｂｅ）やＬＣＤ（液晶）の表示画面を有する表示装置９０１、キーボード９０２（Ｋｅｙ・Ｂｏａｒｄ：Ｋ／Ｂ）、マウス９０３、ＦＤＤ９０４（Ｆｌｅｘｉｂｌｅ・Ｄｉｓｋ・Ｄｒｉｖｅ）、コンパクトディスク装置９０５（ＣＤＤ）、プリンタ装置９０６、スキャナ装置９０７などのハードウェア資源を備え、これらはケーブルや信号線で接続されている。
システムユニット９１０は、コンピュータであり、ファクシミリ機９３２、電話器９３１とケーブルで接続され、また、ローカルエリアネットワーク９４２（ＬＡＮ）、ゲートウェイ９４１を介してインターネット９４０に接続されている。
【００５４】
図１０は、実施の形態１における施設利用情報提供サーバ１００のハードウェア資源の一例を示す図である。
図１０において、施設利用情報提供サーバ１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０と接続され、これらのハードウェアデバイスを制御する。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置あるいは記憶部の一例である。
通信ボード９１５、キーボード９０２、スキャナ装置９０７、ＦＤＤ９０４などは、入力部、入力装置の一例である。
また、通信ボード９１５、表示装置９０１、プリンタ装置９０６などは、出力部、出力装置の一例である。
【００５５】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不用となる。
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００５６】
上記プログラム群９２３には、実施の形態の説明において「〜部」として説明した機能を実行するプログラムが記憶されている。プログラムは、ＣＰＵ９１１により読み出され実行される。
ファイル群９２４には、実施の形態の説明において、「〜の判定結果」、「〜の計算結果」、「〜の処理結果」として説明する情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示・抽出のＣＰＵの動作の間、情報やデータや信号値や変数値やパラメータは、メインメモリやキャッシュメモリやバッファメモリに一時的に記憶される。
また、実施の形態の説明において説明したフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｋ）等の記録媒体に記録される。また、データや信号は、バス９１２や信号線やケーブルその他の伝送媒体によりオンライン伝送される。
【００５７】
また、実施の形態の説明において「〜部」として説明したものは、「〜回路」、「〜装置」、「〜機器」、「〜手段」であってもよく、また、「〜ステップ」、「〜手順」、「〜処理」であってもよい。すなわち、「〜部」として説明したものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、「〜部」としてコンピュータを機能させるものである。あるいは、「〜部」の手順や方法をコンピュータに実行させるものである。
【産業上の利用可能性】
【００５８】
本発明の施設利用情報を各種の都市情報、地域情報、あるいは、各種施設内の情報に置き換えることによって、トイレ施設の利用情報に限らず、各種の位置に関連ある施設の利用情報に対する案内などに利用することができる。
たとえば、前述した施設利用情報提供システムは、病院や医者を至急探したい場合、二次会会場を至急探したい場合、カラオケ施設を至急探したい場合、現金不足により自動現金受け払い機を至急探したい場合などに有効である。特に、ユーザがサービスを受ける場合に、台数・椅子数・部屋数に限りがある施設の施設情報を提供する場合に有効である。
【符号の説明】
【００５９】
１００  施設利用情報提供サーバ、１１１  地図情報記憶部、１１２  施設情報記憶部、１１３  情報送受信部、１１４  端末位置判断部、１１５  施設利用判断部、１１６  施設利用情報作成部、２００  位置情報端末、２１１  端末位置情報処理部、２１２  地図画像・施設利用情報表示処理部、２１３  表示部、２１４  地図情報受信部、２１５  施設利用情報受信部、３００  ネットワーク、４００  測位衛星、５０１  検索要求、５０２  トイレＩＤ、５０３  ランク、５０４  施設利用情報、５９９  位置情報要求、６０１  施設情報ファイル、７０１  地図ファイル、７０２  建物レイアウトファイル、７０３  地図画像情報、９０１  表示装置、９０２  キーボード、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ゲートウェイ、９４２  ＬＡＮ。
【図１】
2010237904.tif 000003
【図２】
2010237904.tif 000004
【図５】
2010237904.tif 000005
【図６】
2010237904.tif 000006
【図７】
2010237904.tif 000007
【図８】
2010237904.tif 000008
【図９】
2010237904.tif 000009
【図１０】
2010237904.tif 000010
【図３】
2010237904.tif 000011
【図４】
2010237904.tif 000012